(57)【要約】【課題】ラベル作成自販機システム等では、背景画像を決める時、数多くのリストの中から絞り込んで検索する為に、ラベルの作成所要時間が長くなる問題があった。【解決手段】印刷されるデータに適合した背景画像を過去の利用実績から、自動的に選択候補として最優先表示することで、スピーディなラベル作成システムを提供する。【選択図】　　図１
2004017386.tif 000002
【特許請求の範囲】
【請求項１】
記録媒体へ記録するために作成された第１の画像データに基づき関連する第２の画像データとすべき複数の候補データを選択、表示する候補データ選択手段を有する画像処理装置において、
前記候補データの順位を変更する順位変更手段を備えることを特徴とする、
画像処理装置。
【請求項２】
前記第２の画像データは作成した画像データに則した背景画像であることを特徴とする請求項１に記載の画像処理装置。
【請求項３】
前記順位変更手段は利用実績データに基づき変更を加えることを特徴とする請求項１に記載の画像処理装置。
【請求項４】
サーバコンピュータと、所定の対象物に適合したラベルへ記録する記録データを作成する情報処理装置と、作成された記録データに基づいて記録する記録装置とを備えるラベル作成システムにおいて、
前記情報処理装置は、通信手段を用いて前記サーバコンピュータに利用データを送信する手段と、利用データを基に前記サーバコンピュータにて集計した利用実績データを受信する手段と、前記利用実績データを基にして記録画像にマッチする背景画像マッチングデータを選択する選択手段を具備することを特徴とするラベル作成システム。
【請求項５】
サーバコンピュータと、所定の対象物に適合したラベルへ記録する記録データを作成する情報処理装置と、作成された記録データに基づいて記録する記録装置とを備えるラベル作成システムにおいて、
前記サーバコンピュータから、通信手段を介して前記情報処理装置に、最新ラベルの記録データ、及び背景画像マッチングデータを同時に送信する手段を具備することを特徴とするラベル作成システム。
【請求項６】
所定の対象物に適合したラベルへ記録する記録データを作成する情報処理装置と、作成された記録データに基づいて記録する記録装置とを備えるラベル作成システムにおいて、
通信手段を用いて同時に送信された最新ラベル、及び背景画像マッチングデータより最新ラベル作成当初からラベルデータに則した背景画像の表示順序を変更する手段を具備することを特徴とする、ラベル作成システム。
【請求項７】
所定の対象物に適合したラベルへ記録する記録データを作成する情報処理装置と、作成された記録データに基づいて記録する記録装置とを備えるラベル作成システムにおいて、
前記記録装置内部にラベル背景画像マッチングデータを生成する手段を具備することを特徴とするラベル作成システム。
【請求項８】
上記ラベル作成システムは自動販売システムであることを特徴とする請求項１から７に記載のラベル作成システム。
【発明の詳細な説明】
【０００１】
【発明の属する技術分野】
本発明は、記録装置、そのラベルデータ選択方法及び記録媒体に関し、特にユーザが使用する際に該利用料金を徴収して、映像、音声、情報を記憶する記憶媒体、記憶媒体を収納するケース、又は記憶媒体に貼付するラベルの記録装置及びラベル作成システムに関する。
【０００２】
【従来の技術】
従来、光磁気ディスク、磁気テープ、磁気ディスク、ＩＣカード、メモリカード等に代表される映像、音声、情報を記憶する記憶媒体、記憶媒体を収納するケース、貼付する貼付物（ラベル、シール、インデックスカード等）の印刷データを生成し、生成した印刷データを該貼付物に印刷する印刷装置が本出願人より提案されている（特開２０００−１９０５７５号）。
【０００３】
このような印刷装置でラベルの背景画像の選択は、用意されたリストの中からそのラベルデータにフィットする背景画像をユーザが検索して、選択するよう運用していた。
【０００４】
【発明が解決しようとする課題】
しかしながら、上述した従来の記録装置とそのシステムを利用して、ラベルの背景画像を選択する方法では、数多くのリストの中から絞り込んで検索する為に、ラベルの作成所要時間が長くなる問題があった。
【０００５】
本発明は、印刷されるデータに適合した背景画像を過去の利用実績から選択し、選択候補として最優先表示することで、ユーザの検索の手間を省いた利用しやすいラベル作成システムの実現を目的とする。
【０００６】
【課題を解決するための手段】
上記目的を達成するために、本発明は以下の手段を実施した。
【０００７】
記録媒体へ記録するために作成された第１の画像データに基づき関連する第２の画像データとすべき複数の候補データを選択、表示する候補データ選択手段を有する画像処理装置において、
前記候補データの順位を変更する順位変更手段を備えることを特徴とする、
画像処理装置。
【０００８】
前記第２の画像データは作成した画像データに則した背景画像であることを特徴とする画像処理装置。
【０００９】
前記順位変更手段は利用実績データに基づき変更を加えることを特徴とする
画像処理装置。
【００１０】
サーバコンピュータと、所定の対象物に適合したラベルへ記録する記録データを作成する情報処理装置と、作成された記録データに基づいて記録する記録装置とを備えるラベル作成システムにおいて、
前記情報処理装置は、通信手段を用いて前記サーバコンピュータに利用データを送信する手段と、利用データを基に前記サーバコンピュータにて集計した利用実績データを受信する手段と、前記利用実績データを基にして記録画像にマッチする背景画像マッチングデータを選択する選択手段を具備することを特徴とするラベル作成システム。
【００１１】
サーバコンピュータと、所定の対象物に適合したラベルへ記録する記録データを作成する情報処理装置と、作成された記録データに基づいて記録する記録装置とを備えるラベル作成システムにおいて、
前記サーバコンピュータから、通信手段を介して前記情報処理装置に、最新ラベルの記録データ、及び背景画像マッチングデータを同時に送信する手段を具備することを特徴とするラベル作成システム。
【００１２】
所定の対象物に適合したラベルへ記録する記録データを作成する情報処理装置と、作成された記録データに基づいて記録する記録装置とを備えるラベル作成システムにおいて、
通信手段を用いて同時に送信された最新ラベル、及び背景画像マッチングデータより最新ラベル作成当初からラベルデータに則した背景画像の表示順序を変更する手段を具備することを特徴とする、ラベル作成システム。
【００１３】
所定の対象物に適合したラベルへ記録する記録データを作成する情報処理装置と、作成された記録データに基づいて記録する記録装置とを備えるラベル作成システムにおいて、
前記記録装置内部にラベル背景画像マッチングデータを生成する手段を具備することを特徴とするラベル作成システム。
【００１４】
上記ラベル作成システムは自動販売システムであることを特徴とする、
ラベル作成システム。
【００１５】
【発明の実施の形態】
以下、本発明の実施形態について図面を参照して詳細に説明する。
【００１６】
（第１の実施形態）
本発明の実施の形態に係るラベル作成システムを示す斜視図を図１に示す。
【００１７】
ラベル作成システム１０１は、コンピュータ１０２、タッチパネル式モニタ１０３、コインベンダ１０４、プリンタ１０５、及び記録済みラベルを出力する取り出し口１０６とを備える。
【００１８】
ラベル作成システム１０１は、光磁気ディスク、磁気テープ、磁気ディスク、ＩＣカード、又はメモリカード等に代表される映像、音楽、情報を記憶する記憶媒体と記憶媒体を収納するケース、又はＭＰ３プレイヤ等に代表される記憶媒体を有する記憶装置に適合する貼付物（ラベル、シール、インデックスカード等）へ、ユーザが印刷したい音声等の曲名、タイトル名、及びアーティスト名等の情報を印刷する機能を備える。
【００１９】
ラベル作成システム１０１、及びサーバコンピュータ２０１との接続を示すブロック図を図２に示す。
【００２０】
複数のラベル作成システム１０１（１０１ａ〜１０１ｅ）と、利用実績データを集計するサーバコンピュータ２０１とはインタネット２０２等の通信回線を介して接続されている。
【００２１】
ラベル作成システム１０１内部の接続を示すブロック図を図３に示す。
【００２２】
図３において、３０１〜３０８はラベル作成システム１０１を構成する情報処理装置（パーソナルコンピュータ）１０２の代表的な構成要素を示したものであり、ＣＰＵ３０１、メモリ３０２、ハードディスク３０３、ＦＤドライブ３０４、ＣＤＲＯＭドライブ３０５、ネットワークインタフェース３０６、周辺インタフェース３０７及びビデオコントローラ３０８を備える。
【００２３】
ハードディスク３０３にはＣＰＵ３０１が実行する記録装置の制御プログラム、及び曲名、タイトル名、アーティスト名等から成る記録データのデータベースを格納する。
【００２４】
かかる制御プログラムは、メモリ３０２にコピーされた後ＣＰＵ３０１により実行される。
【００２５】
コンピュータ１０２はネットワークインタフェース３０６を介してインタネット２０２に接続され、通信を行う。
【００２６】
タッチパネル式モニタ１０３の内モニタ（ディスプレイ）はビデオコントローラ３０８からのＲＧＢ信号で表示制御され、モニタ上に貼り付けられたタッチパネルはユーザの画面上の接触操作入力をインタフェース３０７経由でＣＰＵ３０１が読み込む。
【００２７】
コインベンダ１０４もインタフェース３０７を介してコンピュータ本体と通信し、ラベル作成システム１０１を利用する利用料金の徴収制御する。
【００２８】
記録装置１０５はＵＳＢやＩＥＥＥ１２８４等、比較的高速なインタフェース３０９を介してコンピュータ本体１０２から記録データを受信、ラベル等の貼付物を印刷し、取り出し口１０６に該貼付物を出力する。
【００２９】
サーバコンピュータ２０１の電気的なブロック図を図４に示す。
【００３０】
サーバコンピュータ２０１は通常のパーソナルコンピュータで実現可能であり、ＣＰＵ４０１、メモリ４０２、ハードディスクドライブ４０３、ＦＤＤ４０４、ＣＤＲＯＭドライブ４０５、ネットワークインタフェース４０６、及び周辺インタフェース４０７、４０９及びビデオコントローラ４０８、そしてキーボード、マウス（図示せず）から構成されている。
【００３１】
ハードディスクドライブ４０３には各ラベル作成システムの利用実績データを管理する制御プログラム、その利用実績データを基に各ラベル作成システムの背景画像選択の状況を計算、マッチングデータを生成する制御プログラム、及び各ラベル作成システムの利用実績データ等を格納する。
【００３２】
かかる制御プログラムは、メモリ４０２にコピーされた後、ＣＰＵ４０１により実行される。
【００３３】
サーバコンピュータ２０１のＣＰＵ４０１はネットワークインタフェース４０６を介してインタネット２０２に接続され、通信を行う。
【００３４】
次に、ラベル作成システム１０１を利用したラベル作成方法、利用実績データ送信、及びマッチングデータを更新する手順に関して、図５以降を参照して説明する。
【００３５】
本制御処理では、一例としてユーザがミニディスクに貼付するためのラベルを印刷する場合について説明する。
【００３６】
図５〜７は、ラベル作成システム１０１を構成するＰＣ１０２内蔵ＣＰＵ３０１の制御処理を示すフローチャートである。
【００３７】
図８は、図６の制御処理においてタッチパネル式モニタ１０３上に表示する背景画像選択画面の概略図である
図９は印刷結果（ＭＤラベル）の概略図である。
【００３８】
図１０は、印刷装置１０１の利用実績データである。
【００３９】
図５において、システムが起動し（ステップＳ５０１）、待機画面（ステップＳ５０４）状態にてユーザがコインを投入すると（ステップＳ５０７）、ラベル作成システム１０１は利用開始可能になる。
【００４０】
ラベルに印刷する内容（曲目）の入力方式を選択するため、タッチパネル式モニタ１０３の画面上に所定のメニュー表示画面を表示し、ユーザが入力方式を選択する（ステップＳ５０８）。
【００４１】
本実施例においては、サーバコンピュータ２０１から一定期間毎に更新され、ラベル作成システム１０１内ＰＣ１０２のハードディスク３０３に保存されている、アルバムＴＯＰ２０ランキングデータベースを基にラベルを作成する入力方式を例にし、説明する。
【００４２】
アルバムＴＯＰ２０入力方式が選択されると（ステップＳ５０９）、ユーザはその時点でのアルバムＴＯＰ２０ランキングの中から作成するアルバムを例えば画面上のアイコンで選択する（ステップＳ５１０）。
【００４３】
次にステップＳ５１０でユーザが選択したアルバムの入力項目を確認する（ステップＳ５１１）。
【００４４】
もし内容を変えたい場合、“編集“を選択（ステップＳ５１２のＹ）すればラベルタイトル、アーティスト名、曲順・曲名等を編集することもできる（ステップＳ５１３）。
【００４５】
次に画面８０１（図８参照）からラベル背景画像を選択する。
【００４６】
先ず、選択されたラベルの画像データにマッチする背景画像マッチングデータがあるか検索を行い（ステップＳ５１４）、もし適合データが存在しない場合、基本的な背景画像８０４を表示する。
【００４７】
尚、背景画像のマッチングデータがあった場合の表示例を図１５に示す。
【００４８】
図８のように、適合データがなかった場合や、ユーザが別のデータを選択したい場合は、ボタン８０３で背景のジャンルを選択し、次に背景８０４を選択する。
【００４９】
８０５は同ジャンル内の他の背景画像リストを検索するボタンである。
【００５０】
このようにして、背景を含む選択画像をラベルイメージプレビュー８０２で確認し、背景が決まったなら（Ｓ５１５）、ボタン８０６で次に進む。
【００５１】
ユーザは最後に文字書体・色の編集を行う（ステップＳ５１６）。このようにして決定された印刷するラベルの最終状態を、文字書体・色の編集画面（不図示）上のラベルイメージプレビュー（不図示）で確認して、変更がなければ同じく文字書体・色の編集画面（不図示）上の印刷ボタンによって印刷を開始する（ステップＳ５１７）。
【００５２】
ステップＳ５１７迄で印刷内容が決定したラベル９０１（図９）を記録するために、該記録データをコンピュータ１０２のメモリ３０２から記録装置１０５に送信し、該記録データに基づいて貼付物であるラベル９０１を印刷する。
【００５３】
尚、ラベル全体（９０１）の中で、例えば比較的サイズの大きいラベル９０２と９０７には収録曲１〜５を含む全項目を記録し、その他のラベル９０３〜９０６にはアルバムタイトル、アーティスト名のみを記録する。
【００５４】
ラベル９０８〜９１０は広告、サービス券等に利用できるようにしてある。
【００５５】
ラベルへの記録動作中は、印刷処理中である旨の画面（不図示）を表示する（ステップＳ５１８）。
【００５６】
ここでＰＣ１０２内部では、ユーザがラベル作成に利用した内容１００１をサーバに送信できるよう、記録動作中の時間を利用して、ラベル作成データ１００３〜１０１０を利用実績データの一部としてハードディスク３０３に一旦保存する（ステップＳ５１９）。
【００５７】
図１０の１００１はサーバ２０１に送信される前のデータであり、ラベル９０１に作成された内容は１００３〜１０１０に、そして次に作成されたラベル内容も１０１１以下に表示されている。
【００５８】
１００２は、図２の如く接続された各ラベル作成システム（１０１ａ〜１０１ｅ）における利用実績データを区別するためのヘッダ情報である。
【００５９】
１００３は、ユーザによってラベルが作成された日時を示し、１枚のラベルデータの区切りとなる。
【００６０】
１００４は、ラベル９０１内のラベル９０２〜９０７に印刷されているラベルタイトル／アーティスト名である。
【００６１】
１００５はラベル９０１内のラベル９０２と９０７に印刷されている曲名のデータである。
【００６２】
１００６は、ラベル９０１内のラベル９０２〜９０７の文字色を表すコードである。
【００６３】
１００７は、ラベル９０１内のラベル９０２〜９０７に使用された、背景画像の種類を表すコードである。
【００６４】
１００８は、ラベル９０１内の広告ラベル９０８の種類を表すコードである。
【００６５】
１００９は、ラベル９０１内の広告ラベル９０９の種類を表すコードである。
【００６６】
１０１０は、ラベル９０１内の広告ラベル９１０の種類を表すコードである。
【００６７】
以上の１００４〜１０１０と同様に別のラベルデータも１０１１以下に記載されていく。
【００６８】
このようにステップＳ５１９（図７）でラベル作成システム１０１のＰＣ１０２内部のハードディスク３０３に利用実績データの保存が行われた場合、図１０に示す如く、ラベル作成システム１０１の識別データ１００２、及び次のユーザの利用データ１０１１等を含んだ利用実績データ１００１を生成して、次回当ラベル作成システム１０１起動後の設定日時に利用実績データ１００１をサーバコンピュータ２０１に送信する（ステップＳ５０２，５０３）。
【００６９】
記録動作が終了したら、取り出し口１０６に９０１のようなラベルを出力（排出）して、初期画面に復帰し（ステップＳ５２１）、一連の処理を終了する。
【００７０】
次にこの利用実績データ１００１を基にサーバコンピュータ２０１で行う制御処理を以下に説明する。
【００７１】
図１１は、サーバコンピュータ２０１がラベル作成システム１０１へ送信するマッチングデータの内容である。
【００７２】
図１２は、サーバコンピュータ２０１の制御処理を示すフローチャートである。
【００７３】
図１３は、ラベル作成システム１０１とサーバコンピュータ２０１とのデータ通信を時系列的に示す表である。
【００７４】
図１５は、マッチングデータ１１０１を基にしてタッチパネル式モニタ１０３上に表示する背景画像候補の選択画面例である。
【００７５】
サーバコンピュータ２０１が、利用実績データ１００１を受信したら一旦ハードディスク４０３に保存し、各ラベル作成システム１０１ａ〜１０１ｅから受信した利用実績データの集計を行い、図１１のマッチングデータを生成する。
【００７６】
図１２の処理で、サーバコンピュータ２０１から各ラベル作成システム１０１ａ〜１０１ｅにマッチングデータを書き込む。
【００７７】
まず、サーバコンピュータ２０１で最新データ書き換えプログラムを起動して、生成された最新マッチングデータ１１０１を選択し、最新マッチングデータ書き換えを開始する（ステップＳ１２０１）。
【００７８】
最新データ書き換えプログラムはサーバコンピュータ２０１からラベル作成システム１０１へ現在の状態を問い合わせるコマンドを送信する（ステップＳ１２０２）。
【００７９】
ラベル作成システム１０１がユーザに現在利用されておらず、書き換え可能な状態であれば、肯定応答を返信する（ステップＳ５０５，Ｓ１２０３）。
【００８０】
肯定応答を受ける（ステップＳ１２０３）とサーバコンピュータ２０１は、最新マッチングデータ１１０１を各ラベル作成システム１０１ａ〜１０１ｅに送信する（ステップＳ１２０４）。
【００８１】
ラベル作成システム１０１は最新マッチングデータ１１０１を受信し、そのヘッダ情報１１０２を解析して、最新マッチングデータであればラベルデータベースの最新データ保存エリアに最新データ１１０３を書き込み、終了応答を返信する（ステップＳ５０６，Ｓ１２０５）。
【００８２】
サーバコンピュータ２０１が、ステップＳ１２０５の終了応答を受信した時、最新データ書き換え処理を終了する（ステップＳ１２０６）。
なお、サーバコンピュータ２０１の最新データ書き換えプログラムの起動は利用実績データ１１０１を受信したら自動的に行うか、サーバコンピュータ２０１の操作により任意に行えるようにする等、何れの方法でも良い。
【００８３】
ステップＳ１２０５でサーバコンピュータ２０１から送信された最新データ１１０３からラベル作成システム１０１内部に例えば図１６に示すようなデータベースを備え、データベース１６０１を参照し、ユーザがラベル作成システム１０１利用の際に例えば１６０３と同じタイトルを選択した場合、背景画像の選択（ステップＳ５１５）時には、データベース１６０１によって関連付けられた背景画像データ１６０６から、図８では優先表示されなかった最適な背景画像１４０３（図１４）が背景画像候補として図１５に示す如く優先的に選択、表示される。
【００８４】
以上説明したように、本発明を実施した動作フロー図５〜７の手順による第１の実施の形態によれば、光磁気ディスク、磁気テープ、磁気ディスク、ＩＣカード、及びメモリカード等に代表される映像、音声、情報等を記憶する記憶媒体、該記憶媒体を収納するケース、及びＭＰ３プレイヤ等に代表される該記憶媒体を有する記憶装置に適合する貼付物に記録するラベル作成システム１０１において、ネットワークを介してサーバコンピュータに接続されたラベル作成システムが利用実績データをサーバコンピュータに送信し、その利用実績データを基にラベル背景画像の候補表示順序の変更を行うことで、ユーザにとってスピーディで利用しやすいラベル作成システムを実現することができる。
【００８５】
従って、ラベル作成システム１０１の１件当りの利用時間を低減させることができ、同じ運用時間でもラベル作成システム利用者数、ラベル作成システムの稼働率をＵＰすることが出来る。
【００８６】
本方式を用いることにより、サーバコンピュータで各ラベル作成システムの利用実績を集計し、マッチングデータを生成することで、複数のラベル作成システムに対して共通のマッチングデータを生成でき、個体差を無くすことができる。
【００８７】
また幅広いデータからマッチングデータを生成できるため、より精度の高いマッチング情報を提供できる効果がある。
【００８８】
（第２の実施形態）
次に、本発明第２の実施形態に係るラベル作成システムについて図１６を参照して説明する。
【００８９】
構成は上記第１の実施形態と同じであり、以下に、第１実施形態と異なる点のみを説明する。
【００９０】
図１６は、ラベル作成システム１０１の更新データである。
【００９１】
上記第１の実施の形態では、サーバコンピュータから最新ラベルデータとは別に背景画像のみの適合情報である図１１のマッチングデータ１１０１のみを受信するものであったが、本第２の実施の形態では最新ラベルデータに背景画像マッチングデータを付加した方式である。
【００９２】
第１の実施例と同様にラベル作成システム１０１が起動され、待機中等にサーバコンピュータ２０１から図１２の処理で最新データ１６０１が送信されると、各ラベル作成システム１０１内のデータベースが更新される（ステップＳ５０５，５０６）。
【００９３】
この最新データ１６０１内に例えば、１６０６のような背景画像のマッチングデータを付加しておくことにより、ラベルデータ登録当初からラベル作成システム１０１内のマッチングデータに登録することができる。
【００９４】
このようにして、ラベルデータベース登録当初から背景画像のマッチングデータが存在すれば、ラベルの作成開始段階で、図１５に示す画面上で１４０３のように最適な背景画像候補を優先的に表示できる。
【００９５】
以上第２の実施例によれば、ラベル作成当初からラベル背景画像の表示順序の変更を行えるので、データ更新スピードに則した記録装置の提供を実現できる。
【００９６】
（第３の実施形態）
次に、本発明第３の実施形態に係るラベル作成システムについて図１７を参照して説明する。
【００９７】
本第３の実施形態は、その構成が上記第１の実施形態と同じであり、以下に、上記第１の実施形態と異なる点のみを説明する。
【００９８】
図１７は、図１のコンピュータＰＣ１０２内蔵ＣＰＵ３０１の制御処理を示すフローチャートである。
【００９９】
上記第１の実施形態では、サーバコンピュータからラベル作成システム１０１にマッチングデータを送付して、そのデータを基に背景画像表示順序を変更するものであったが、本第３の実施形態ではラベル作成システム１０１で統計をとりマッチングデータを生成する方式である。
【０１００】
第１の実施例と同様に、ラベルデータの選択が終了したらユーザの指示により記録動作を開始する（ステップＳ１７１７）。
【０１０１】
記録処理中は、記録処理中画面を表示する（ステップＳ１７１８）。
【０１０２】
ここでラベル作成システム１０１の記録処理中の時間を利用してマッチングデータを生成するため、ＰＣ１０２のＣＰＵ３０１は今回のラベルデータを集計し、マッチングデータの一部として一旦ハードディスク３０３に保存する（ステップＳ１７１９）。
【０１０３】
同様に以前より保存されていたマッチングデータの集計の結果、マッチングデータの更新が必要な場合は（ステップＳ１７２０）、更新データを作成して、仮保存を行う（ステップＳ１７２１）。
【０１０４】
印刷処理が終了したら、取り出し口１０６から９０１（図９）のようなラベルを出力（排出）、初期画面に復帰する（ステップＳ１７２３）。
【０１０５】
この時の状態は図５のステップＳ５０４に相当する。
【０１０６】
初期画面復帰後（図５、ステップＳ５０４）、更新データが作成されていたなら、データ更新を行う（図５、ステップＳ５０５，５０６）。
【０１０７】
以上第３の実施例によれば、ラベル作成システム内で背景画像マッチングデータを生成でき、それを基に背景画像の表示順序の変更を行うことで、サーバコンピュータとの通信回数を削減でき、ラベル作成システム全体の負荷を低減できる。
【０１０８】
上記第１〜３の実施の形態では、ラベル作成システム１０１が、例えばミニディスクに貼付するラベル作成について説明したが、ＣＤ、ＤＶＤ等を含む光磁気ディスク、カセットテープ等の磁気テープ、磁気ディスク、ＩＣカード、ＳＤメモリカード，メモリースティック，スマートメディア等を含むＦｌａｓｈメモリ、及びＦｌａｓｈメモリカード等の記憶媒体、該記憶媒体を収納するケース、並びにＭＰ３プレイヤ等の記憶装置に貼付するラベル、シール、インデックスカード等を作成する場合でも同様に実施可能である。
【０１０９】
【発明の効果】
以上詳細に説明したように、本発明によれば、ネットワークを介してサーバコンピュータに接続された各ラベル作成システムが利用実績データをサーバコンピュータに送信し、その利用実績データを基にラベル背景画像の表示順序の変更を行うことで、ユーザにとって利用しやすいラベル作成システムを提供できる。
【０１１０】
又、ユーザがラベルデータに適合した背景画像を検索することなく、容易に選択できるので、システム利用したラベル作成時間を低減できる。
【０１１１】
更に、サーバコンピュータで各ラベル作成システムの利用実績を集計してマッチングデータを生成することで、共通のマッチングデータを生成でき、ラベル作成システムの個体差を無くすことができる。
【０１１２】
ラベル作成システム１０１内で背景画像マッチングデータを生成した場合には、それを基に背景画像の候補順位を変更できるので、サーバとの通信回数が減り、システム全体の負荷を低減できる。
【０１１３】
【図面の簡単な説明】
【図１】本発明の実施の形態に係るラベル作成システムを示す斜視図である。
【図２】ラベル作成システムとサーバコンピュータとの接続を示すブロック図である。
【図３】ラベル作成システムの電気的なブロック図である。
【図４】サーバコンピュータ２０１の電気的なブロック図である。
【図５】ラベル作成システム内のコンピュータ１０２の制御処理を示すフローチャートである。
【図６】図５に引き続く処理を示すフローチャートである。
【図７】図６に引き続く処理を示すフローチャートである。
【図８】図６の処理においてタッチパネル式モニタ１０３上に表示するラベル背景画像の基本的な選択画面の概略図である。
【図９】ラベル全体の印刷結果例を示す概略図である。
【図１０】本発明の実施形態におけるラベル作成システム利用実績データの内容例を示す図である。
【図１１】本発明の実施の形態における背景画像マッチングデータの内容例を示す図である
【図１２】サーバコンピュータ２０１からデータ更新する際、ラベル作成システムとのデータ通信内容を示すフローチャートである。
【図１３】サーバコンピュータ２０１からデータ更新する際、ラベル作成システムとのデータ通信内容を示す図である。
【図１４】画像に対する背景画像のマッチングデータに関するデータベースの例を示す図である。
【図１５】背景画像の候補として優先表示された表示画面の概略図である。
【図１６】本発明第２の実施形態における更新データの内容例を示す図である。
【図１７】本発明第３の実施形態におけるコンピュータ１０２の制御処理を示すフローチャートである。
【符号の説明】
１０１　　ラベル作成システム
１０２　　コンピュータ（ＰＣ）
１０３　　タッチパネル式ディスプレイ
１０４　　コインベンダ
１０５　　記録装置
１０６　　取り出し口
２０１　　サーバコンピュータ
２０２　　インタネット
３０１　　ＣＰＵ
３０２　　メモリ（ＲＡＭ）
３０３　　ハードディスクドライブ
３０４　　ＦＤＤ
３０５　　ＣＤＲＯＭドライブ
３０６　　ネットワークインタフェース
３０７　　周辺（機器）インタフェース
３０８　　ビデオコントローラ
３０９　　周辺（機器）インタフェース
４０１　　ＣＰＵ
４０２　　メモリ（ＲＡＭ）
４０３　　ハードディスクドライブ
４０４　　ＦＤＤ
４０５　　ＣＤＲＯＭドライブ
４０６　　ネットワークインタフェース
４０７　　周辺（機器）インタフェース
４０８　　ビデオコントローラ
４０９　　周辺（機器）インタフェース
４１０　　ディスプレイ
８０１　　背景画像の通常選択画面
９０１　　ラベルの印刷結果例
１４０１　候補データを表示した背景画像の選択画面
【図１】
2004017386.tif 000003
【図２】
2004017386.tif 000004
【図３】
2004017386.tif 000005
【図４】
2004017386.tif 000006
【図５】
2004017386.tif 000007
【図６】
2004017386.tif 000008
【図７】
2004017386.tif 000009
【図８】
2004017386.tif 000010
【図９】
2004017386.tif 000011
【図１０】
2004017386.tif 000012
【図１１】
2004017386.tif 000013
【図１２】
2004017386.tif 000014
【図１３】
2004017386.tif 000015
【図１４】
2004017386.tif 000016
【図１５】
2004017386.tif 000017
【図１６】
2004017386.tif 000018
【図１７】
2004017386.tif 000019